【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能であり、遊技履歴を特定する情報を出力する遊技機と、遊技機から出力された情報を取得して管理する管理装置とを備えた遊技システムであって、
遊技履歴に基づいて特典を付与する特典付与手段と、
前記特典付与手段により付与する特典を選択する特典選択手段と、
遊技機において特定演出を実行する旨が設定されているか否かを判定する特定演出判定手段とを備え、
前記特典選択手段は、前記特定演出を実行する旨が設定されているときには、該特定演出を実行する旨が設定されていないときに比べて、該特定演出に関連する種類の特典を高い割合で選択する
ことを特徴とする遊技システム。
【請求項２】
遊技者が所定の遊技を行うことが可能であり、遊技履歴を特定する情報を出力する遊技機と、遊技機から出力された情報を取得して管理する管理装置とを備えた遊技システムであって、
遊技履歴に基づいて特典を付与する特典付与手段と、
前記特典付与手段により付与する特典を選択する特典選択手段と、
遊技者が所望する特典の種類を判定する特典種類判定手段と、
遊技履歴が特定条件を満たしているか否かを判定する遊技履歴判定手段とを備え、
前記特典選択手段は、遊技履歴が前記特定条件を満たしているときには、遊技履歴が前記特定条件を満たしていないときに比べて、前記特典種類判定手段によって判定された種類の特典を高い割合で選択する
ことを特徴とする遊技システム。
【請求項３】
遊技者が所定の遊技を行うことが可能な遊技機であって、
遊技履歴に基づいて特典を付与する特典付与手段と、
前記特典付与手段により付与する特典を選択する特典選択手段と、
特定演出を実行する旨が設定されているか否かを判定する特定演出判定手段とを備え、
前記特典選択手段は、前記特定演出を実行する旨が設定されているときには、該特定演出を実行する旨が設定されていないときに比べて、該特定演出に関連する種類の特典を高い割合で選択する
ことを特徴とする遊技機。
【請求項４】
遊技者が所定の遊技を行うことが可能な遊技機であって、
遊技履歴に基づいて特典を付与する特典付与手段と、
前記特典付与手段により付与する特典を選択する特典選択手段と、
遊技者が所望する特典の種類を判定する特典種類判定手段と、
遊技履歴が特定条件を満たしているか否かを判定する遊技履歴判定手段とを備え、
前記特典選択手段は、遊技履歴が前記特定条件を満たしているときには、遊技履歴が前記特定条件を満たしていないときに比べて、前記特典種類判定手段によって判定された種類の特典を高い割合で選択する
ことを特徴とする遊技機。
【請求項５】
遊技者が所定の遊技を行うことが可能であり、遊技履歴を特定する情報を出力する遊技機から出力された情報を取得して管理する管理装置であって、
遊技履歴に基づいて特典を付与する特典付与手段と、
前記特典付与手段により付与する特典を選択する特典選択手段と、
遊技機において特定演出を実行する旨が設定されているか否かを判定する特定演出判定手段とを備え、
前記特典選択手段は、前記特定演出を実行する旨が設定されているときには、該特定演出を実行する旨が設定されていないときに比べて、該特定演出に関連する種類の特典を高い割合で選択する
ことを特徴とする管理装置。
【請求項６】
遊技者が所定の遊技を行うことが可能である遊技機から出力された情報を取得して管理する管理装置であって、
遊技履歴に基づいて特典を付与する特典付与手段と、
前記特典付与手段により付与する特典を選択する特典選択手段と、
遊技者が所望する特典の種類を判定する特典種類判定手段と、
遊技履歴が特定条件を満たしているか否かを判定する遊技履歴判定手段とを備え、
前記特典選択手段は、遊技履歴が前記特定条件を満たしているときには、遊技履歴が前記特定条件を満たしていないときに比べて、前記特典種類判定手段によって判定された種類の特典を高い割合で選択する
ことを特徴とする管理装置。
【手続補正２】
【補正対象書類名】明細書
【補正対象項目名】０００７
【補正方法】変更
【補正の内容】
【０００７】
（手段１）本発明による遊技システムは、
遊技者が所定の遊技を行うことが可能であり、遊技履歴を特定する情報を出力する遊技機と、遊技機から出力された情報を取得して管理する管理装置とを備えた遊技システムであって、
遊技履歴に基づいて特典を付与する特典付与手段と、
前記特典付与手段により付与する特典を選択する特典選択手段と、
遊技機において特定演出を実行する旨が設定されているか否かを判定する特定演出判定手段とを備え、
前記特典選択手段は、前記特定演出を実行する旨が設定されているときには、該特定演出を実行する旨が設定されていないときに比べて、該特定演出に関連する種類の特典を高い割合で選択することを特徴とする。
そのような構成によれば、設定された特定演出に関連する種類の特典が付与されやすいので、遊技者が好む特典を付与することができ、遊技者に特典付与への喜びを感じさせることができる。また、特定演出を設定して遊技を行うことへの意欲を高めることができるので、遊技機の稼働率を向上させることができる。
なお、手段１において、遊技機は、スロットマシン及びパチンコ遊技機の両方を含む。
また、手段１において、遊技履歴は、遊技者が過去に遊技を行った回数などの情報、遊技者に対して付与された価値を特定可能な情報などが挙げられる。
【手続補正３】
【補正対象書類名】明細書
【補正対象項目名】０００８
【補正方法】変更
【補正の内容】
【０００８】
（手段２）本発明による遊技システムは、
遊技者が所定の遊技を行うことが可能であり、遊技履歴を特定する情報を出力する遊技機と、遊技機から出力された情報を取得して管理する管理装置とを備えた遊技システムであって、
遊技履歴に基づいて特典を付与する特典付与手段と、
前記特典付与手段により付与する特典を選択する特典選択手段と、
遊技者が所望する特典の種類を判定する特典種類判定手段と、
遊技履歴が特定条件を満たしているか否かを判定する遊技履歴判定手段とを備え、
前記特典選択手段は、遊技履歴が前記特定条件を満たしているときには、遊技履歴が前記特定条件を満たしていないときに比べて、前記特典種類判定手段によって判定された種類の特典を高い割合で選択することを特徴とする。
そのような構成によれば、遊技者が好む特典が遊技の頻度に応じて付与されるので、遊技者がゲームを行う意欲を高め、遊技機の稼働率を向上させることができる。
なお、手段２において、遊技機は、スロットマシン及びパチンコ遊技機の両方を含む。
また、手段２において、遊技履歴は、遊技者が過去にゲームを行った回数などの情報、遊技者に対して付与された価値を特定可能な情報などが挙げられる。
【手続補正４】
【補正対象書類名】明細書
【補正対象項目名】００１２
【補正方法】変更
【補正の内容】
【００１２】
（手段６）本発明による遊技機は、
遊技者が所定の遊技を行うことが可能な遊技機であって、
遊技履歴に基づいて特典を付与する特典付与手段と、
前記特典付与手段により付与する特典を選択する特典選択手段と、
特定演出を実行する旨が設定されているか否かを判定する特定演出判定手段とを備え、
前記特典選択手段は、前記特定演出を実行する旨が設定されているときには、該特定演出を実行する旨が設定されていないときに比べて、該特定演出に関連する種類の特典を高い割合で選択することを特徴とする。
そのような構成によれば、設定された特定演出に関連する種類の特典が付与されやすいので、遊技者が好む特典を付与することができ、遊技者に特典付与への喜びを感じさせることができる。また、特定演出を設定して遊技を行うことへの意欲を高めることができるので、遊技機の稼働率を向上させることができる。
なお、手段６において、遊技機は、スロットマシン及びパチンコ遊技機の両方を含む。
また、手段６において、遊技履歴は、遊技者が過去に遊技を行った回数などの情報、遊技者に対して付与された価値を特定可能な情報などが挙げられる。
また、手段６において、管理装置に遊技履歴を特定する情報を出力する方法は、管理装置に遊技履歴を特定する情報を直接的に出力する方法や管理装置以外の外部機器を介して管理装置に遊技履歴を特定する情報を間接的に出力する方法などが挙げられる。
【手続補正５】
【補正対象書類名】明細書
【補正対象項目名】００１３
【補正方法】変更
【補正の内容】
【００１３】
（手段７）本発明による遊技機は、
遊技者が所定の遊技を行うことが可能な遊技機であって、
遊技履歴に基づいて特典を付与する特典付与手段と、
前記特典付与手段により付与する特典を選択する特典選択手段と、
遊技者が所望する特典の種類を判定する特典種類判定手段と、
遊技履歴が特定条件を満たしているか否かを判定する遊技履歴判定手段とを備え、
前記特典選択手段は、遊技履歴が前記特定条件を満たしているときには、遊技履歴が前記特定条件を満たしていないときに比べて、前記特典種類判定手段によって判定された種類の特典を高い割合で選択することを特徴とする。
そのような構成によれば、遊技者が好む特典が遊技の頻度に応じて付与されるので、遊技者がゲームを行う意欲を高め、遊技機の稼働率を向上させることができる。
なお、手段７において、遊技機は、スロットマシン及びパチンコ遊技機の両方を含む。
また、手段７において、遊技履歴は、遊技者が過去に遊技を行った回数などの情報、遊技者に対して付与された価値を特定可能な情報などが挙げられる。
また、手段７において、管理装置に遊技履歴を特定する情報を出力する方法は、管理装置に遊技履歴を特定する情報を直接的に出力する方法や管理装置以外の外部機器を介して管理装置に遊技履歴を特定する情報を間接的に出力する方法などが挙げられる。
【手続補正６】
【補正対象書類名】明細書
【補正対象項目名】００１４
【補正方法】変更
【補正の内容】
【００１４】
（手段８）本発明による管理装置は、
遊技者が所定の遊技を行うことが可能であり、遊技履歴を特定する情報を出力する遊技機から出力された情報を取得して管理する管理装置であって、
遊技履歴に基づいて特典を付与する特典付与手段と、
前記特典付与手段により付与する特典を選択する特典選択手段と、
遊技機において特定演出を実行する旨が設定されているか否かを判定する特定演出判定手段とを備え、
前記特典選択手段は、前記特定演出を実行する旨が設定されているときには、該特定演出を実行する旨が設定されていないときに比べて、該特定演出に関連する種類の特典を高い割合で選択することを特徴とする。
そのような構成によれば、設定された特定演出に関連する種類の特典が付与されやすいので、遊技者が好む特典を付与することができ、遊技者に特典付与への喜びを感じさせることができる。また、特定演出を設定して遊技を行うことへの意欲を高めることができるので、遊技機の稼働率を向上させることができる。
なお、手段８において、遊技機は、スロットマシン及びパチンコ遊技機の両方を含む。
また、手段８において、遊技履歴は、遊技者が過去に遊技を行った回数などの情報、遊技者に対して付与された価値を特定可能な情報などが挙げられる。
【手続補正７】
【補正対象書類名】明細書
【補正対象項目名】００１５
【補正方法】変更
【補正の内容】
【００１５】
（手段９）本発明による管理装置は、
遊技者が所定の遊技を行うことが可能である遊技機から出力された情報を取得して管理する管理装置であって、
遊技履歴に基づいて特典を付与する特典付与手段と、
前記特典付与手段により付与する特典を選択する特典選択手段と、
遊技者が所望する特典の種類を判定する特典種類判定手段と、
遊技履歴が特定条件を満たしているか否かを判定する遊技履歴判定手段とを備え、
前記特典選択手段は、遊技履歴が前記特定条件を満たしているときには、遊技履歴が前記特定条件を満たしていないときに比べて、前記特典種類判定手段によって判定された種類の特典を高い割合で選択することを特徴とする。
そのような構成によれば、設定された特定演出に関連する種類の特典が付与されやすいので、遊技者が好む特典を付与することができ、遊技者に特典付与への喜びを感じさせることができる。また、特定演出を設定して遊技を行うことへの意欲を高めることができるので、遊技機の稼働率を向上させることができる。
なお、手段９において、遊技機は、スロットマシン及びパチンコ遊技機の両方を含む。
また、手段９において、遊技履歴は、遊技者が過去に遊技を行った回数などの情報、遊技者に対して付与された価値を特定可能な情報などが挙げられる。